(57)【要約】  【課題】組み立て時に、ケース体をレンズの光軸方向に直動させてレンズと撮像素子との距離を調整するレンズ駆動装置の製造方法を提供すること。  【解決手段】レンズ１４を保持するレンズホルダ１０と、レンズホルダ１０をレンズ１４の光軸１１の方向に沿って直動させる駆動手段と、レンズホルダ１０および駆動手段を収納すると共に少なくとも第１ケース分割体２６と第２ケース分割体４２で構成されるケース体２４と、を有するレンズ駆動装置の製造は、レンズホルダ１０を第１ケース分割体２６に設けられた移動限界２７に当接させた状態で、第１ケース分割体２６を光軸１１の方向に直動させてレンズ１４の焦点距離を調整した後、レンズホルダ１０を第２ケース分割体４２に設けられた移動限界３６に当接させた状態で、第２ケース分割体４２を光軸１１の方向に直動させてレンズ１４の焦点距離を調整して行われる。  【選択図】図１
2005107084.tif 000002
【特許請求の範囲】
【請求項１】
レンズを保持するレンズホルダと、
上記レンズホルダを上記レンズの光軸方向に沿って直動させる駆動手段と、
上記レンズホルダおよび上記駆動手段を収納するケース体と、
を有するレンズ駆動装置の製造方法であって、
上記ケース体は、少なくとも第１ケース分割体と第２ケース分割体とで構成され、
上記レンズホルダを上記第１ケース分割体に設けられた移動限界に当接させた状態で、上記第１ケース分割体を上記光軸方向に直動させて上記レンズの焦点距離を調整した後、
上記レンズホルダを上記第２ケース分割体に設けられた移動限界に当接させた状態で、上記第２ケース分割体を上記光軸方向に直動させて上記レンズの焦点距離を調整することを特徴とするレンズ駆動装置の製造方法。
【請求項２】
レンズを保持するレンズホルダと、
上記レンズホルダを上記レンズの光軸方向に沿って直動させる駆動手段と、
上記レンズホルダおよび上記駆動手段を収納するケース体と、
上記レンズから取り込んだ光を処理する撮像素子と、
上記撮像素子を収納する撮像素子ケースと、
を有するレンズ駆動装置の製造方法であって、
上記ケース体は、少なくとも第１ケース分割体と第２ケース分割体とで構成され、
上記レンズホルダを上記第１ケース分割体に設けられた移動限界に当接させた状態で、上記第１ケース分割体と上記撮像素子ケースの少なくとも一方を光軸方向に直動させて上記第１ケース分割体と上記撮像素子ケースとの距離を変更させながら上記レンズの焦点距離を調整した後、上記第１ケース分割体と上記撮像素子ケースとを固定し、
その後、上記レンズホルダを上記第２ケース分割体に設けられた移動限界に当接させた状態で、上記第２ケース分割体と上記第１ケース分割体の少なくとも一方を光軸方向に直動させて上記第２ケース分割体と上記第１ケース分割体との距離を変更させながら上記レンズの焦点距離を調整した後、上記第２ケース分割体と上記第１ケース分割体とを固定することを特徴とするレンズ駆動装置の製造方法。
【請求項３】
前記第１ケース分割体と前記第２ケース分割体とは、互いに前記光軸方向に直動するように案内機構を有していることを特徴とする請求項１または２記載のレンズ駆動装置の製造方法。
【発明の詳細な説明】
【技術分野】
【０００１】
本発明は、カメラ付き携帯電話のカメラなど、比較的小型のカメラに用いられる撮影レンズの駆動装置の製造方法に関する。
【背景技術】
【０００２】
カメラが搭載された携帯電話では、片手で携帯電話を持って自己の顔やその他の近接位置となる被写体を撮影する場合が多い。このため、この種のカメラに用いられる撮影レンズ系は、接写撮影機能を保有しているものが多い。このような接写撮影機能を有する撮影レンズ系の場合、通常の撮影を行うときのレンズ位置と接写撮影すなわちマクロ撮影を行うときのレンズ位置が異なるものとなる。すなわち、接写撮影時のレンズ位置は、通常撮影時のレンズ位置よりも僅かに一定の距離だけ被写体側に近づけた位置になる。
【０００３】
このため、この種の撮影レンズ系では、レンズ位置を通常の撮影位置とマクロ撮影位置との間で移動させるための駆動機構を備え、スイッチの切り換えによって駆動機構を駆動し、上述の２点の撮影位置の間をレンズが移動するようになっている。小型のカメラにおいては、機器の小型化、軽量化などの理由から、電磁力をレンズ駆動に直接利用し、レンズを移動させる形式のレンズ駆動装置が搭載されている（たとえば、特許文献１、特許文献２参照）。
【０００４】
【特許文献１】特開２０００−１８７８６２号公報（要約）
【特許文献２】特開平１０−１５０７５９号公報（要約）
【発明の開示】
【発明が解決しようとする課題】
【０００５】
本出願人は、異なる焦点位置で撮影を行う電磁駆動方式の新規なレンズ駆動装置を提案した（特願２００３−１８５４５２）。図９に示すように、この新規なレンズ駆動装置１００は、レンズ１１４を保持するレンズホルダ１１０と、レンズホルダ１１０の周囲に固定されたリング状の駆動マグネット１１６と、駆動マグネット１１６を挟むように対向配置されたリング状に巻かれた第１、第２駆動コイル１２８，１３０と、第１、第２駆動コイル１２８，１３０を挟むように対向配置されたリング状の第１、第２磁性体１３２，１３４と、第１、第２ケース分割体１２６，１４２から構成されるケース体１２４から主に構成されている。
【０００６】
このレンズ駆動装置１００は、電磁力によってレンズ１１４を駆動している。すなわち、第１、第２駆動コイル１２８，１３０を流れる電流によって生じる磁界中を駆動マグネット１１６が移動することで、レンズ１１４が移動可能となっている。第１、第２駆動コイル１２８，１３０の電流を逆方向にすれば、レンズ１１４も逆方向に移動する。レンズ１１４が移動限界の位置まで移動したところで、第１、第２駆動コイル１２８，１３０への給電を停止する。第１、第２駆動コイル１２８，１３０への給電を停止しても、レンズ１１４は、駆動マグネット１１６と第１、第２磁性体１３２，１３４のいずれか一方との磁気吸着力によって移動限界の位置で保持されたままとなる。
【０００７】
レンズ駆動装置１００では、被写体からの反射光を円形の入射窓１１８からレンズ１１４に取り込み撮像素子１４４で撮影する。撮像素子１４４は、回路基板１４５を介して、図示されないマイクロコンピュータ等で構成される制御部に画像信号を送り、送られた画像信号は制御部で処理されて画像データとして記憶部で記録される。
【０００８】
第１ケース分割体１２６の後端部の突出縁１２７が、レンズホルダ１１０の後側の移動限界となる。レンズホルダ１１０が突出縁１２７に当接された位置で通常撮影を行う。以下、後側の移動限界の位置を通常撮影位置という。一方、第２ケース分割体１４２の突起部１３６が、レンズホルダ１１０の前側の移動限界となる。レンズホルダ１１０が突起部１３６に当接された位置でマクロ撮影を行う。以下、前側の移動限界の位置をマクロ撮影位置といい、通常撮影位置とマクロ撮影位置とを合わせて単に撮影位置という。
【０００９】
レンズ駆動装置１００を組み立てると、撮影位置におけるレンズ１１４と撮像素子１４４との距離が、予め設定された最適な値となるようにレンズ駆動装置１００の部品が形成されている。すなわち、レンズ１１４と撮像素子１４４との距離は、第１、第２ケース分割体１２６，１４２の部品としての加工精度およびレンズ駆動装置１００の組み立て作業の精度によってのみ確保されており、組み立て時に別途レンズ１１４と撮像素子１４４との距離を調整することは行われていなかった。
【００１０】
しかしながら、最近は特に高画質で撮影できる小型カメラの要請が高まってきている。したがって、部品の加工精度およびレンズ駆動装置１００の組み立て精度だけでレンズ１１４と撮像素子１４４との距離を設定するのは限界となってきており、これらの精度だでは高画質で撮影できる小型カメラが得られないという問題点がある。
【００１１】
本発明は、この問題点を解消するためになされたもので、組み立て時に、ケース体をレンズの光軸方向に直動させてレンズと撮像素子との距離を調整するレンズ駆動装置の製造方法を提供することを目的とする。
【課題を解決するための手段】
【００１２】
上述の目的を達成するため、本発明は、レンズを保持するレンズホルダと、レンズホルダをレンズの光軸方向に沿って直動させる駆動手段と、レンズホルダおよび駆動手段を収納するケース体と、を有するレンズ駆動装置の製造方法であって、ケース体は、少なくとも第１ケース分割体と第２ケース分割体とで構成され、レンズホルダを第１ケース分割体に設けられた移動限界に当接させた状態で、第１ケース分割体を光軸方向に直動させてレンズの焦点距離を調整した後、レンズホルダを第２ケース分割体に設けられた移動限界に当接させた状態で、第２ケース分割体を光軸方向に直動させてレンズの焦点距離を調整するものである。
【００１３】
また、上述の目的を達成するための他の発明は、レンズを保持するレンズホルダと、レンズホルダをレンズの光軸方向に沿って直動させる駆動手段と、レンズホルダおよび駆動手段を収納するケース体と、レンズから取り込んだ光を処理する撮像素子と、撮像素子を収納する撮像素子ケースと、を有するレンズ駆動装置の製造方法であって、ケース体は、少なくとも第１ケース分割体と第２ケース分割体とで構成され、レンズホルダを第１ケース分割体に設けられた移動限界に当接させた状態で、第１ケース分割体と撮像素子ケースの少なくとも一方を光軸方向に直動させて第１ケース分割体と撮像素子ケースとの距離を変更させながらレンズの焦点距離を調整した後、第１ケース分割体と撮像素子ケースとを固定し、その後、レンズホルダを第２ケース分割体に設けられた移動限界に当接させた状態で、第２ケース分割体と第１ケース分割体の少なくとも一方を光軸方向に直動させて第２ケース分割体と第１ケース分割体との距離を変更させながらレンズの焦点距離を調整した後、第２ケース分割体と第１ケース分割体とを固定するものである。
【００１４】
これらの発明によれば、レンズ駆動装置の組み立て時に、第１ケース分割体および第２ケース分割体を光軸方向に直動させてレンズの焦点距離を調整することができる。
【００１５】
また、これらの発明においては、第１ケース分割体と第２ケース分割体とは、互いに光軸方向に直動するように案内機構を有していることが好ましい。この構成によって、第１ケース分割体と第２ケース分割体の少なくともどちらか一方を動かす際には、確実に光軸方向に直動できる。
【発明の効果】
【００１６】
本発明によれば、組み立て時に、ケース体をレンズの光軸方向に直動させてレンズと撮像素子との距離を調整するレンズ駆動装置の製造方法を提供することができる。
【発明を実施するための最良の形態】
【００１７】
最初に、レンズ駆動装置１００を構成する部品をそのまま用いて、レンズ駆動装置１００の組み立て時に、撮影位置におけるレンズ１１４と撮像素子１４４との距離、すなわち第１、第２ケース分割体１２６，１４２と撮像素子１４４とのそれぞれの距離の調整を以下のように行った。
【００１８】
まず、第１、第２ケース分割体１２６，１４２および撮像素子ケース１４７を仮固定する。このとき、第２ケース分割体１４２の外壁部および第１ケース分割体１２６の内壁部に形成されたネジ山同士がねじ係合している。第１ケース分割体１２６の外壁および撮像素子ケース１４７の内壁に形成されたネジ山同士もねじ係合している。
【００１９】
次に、レンズホルダ１１０を突出縁１２７に当接した状態で、第１ケース分割体１２６を回転させながら光軸１１１の方向に移動させる。この移動によりレンズ１１４の焦点距離を調整して、通常撮影画像が最適になるような位置で第１ケース分割体１２６と撮像素子ケース１４７とを接着剤１４８等で本固定する。
【００２０】
その後、レンズホルダ１１０を突起部１３６に当接した状態で、第２ケース分割体１４２を回転させながら、光軸１１１の方向にレンズホルダ１１０を移動させる。レンズホルダ１１０を移動させながらレンズ１１４の焦点距離を調整して、マクロ撮影画像が最適になるような位置で第２ケース分割体１４２と第１ケース分割体１２６とを接着剤１４９等で本固定する。
【００２１】
しかしながら、この第１、第２ケース分割体１２６，１４２と撮像素子１４４とのそれぞれの距離を調整する方法では、ネジ締め仮固定する際に、ネジ山がずれる等によって第１ケース分割体１２６や第２ケース分割体１４２が傾いた状態で仮固定されることもある。その結果、本固定後の第１ケース分割体１２６や第２ケース分割体１４２も傾いたままとなり、撮影位置でのレンズ１１４も傾いた状態になってしまう。
【００２２】
また、第１、第２駆動コイル１２８，１３０のコイル端子を、第１ケース分割体１２６を貫通させて外部に取り出しているが、第１ケース分割体１２６が回転するためその取り出し位置が一定しない。
【００２３】
さらに、第１、第２ケース分割体１２６，１４２を回転させることによって、レンズ１１４が常時傾いている状態になりやすく、その結果、光軸１１１付近ではそれ程ではないものの、レンズ１１４の周辺部での画像が悪化しやすくなるという問題が生じる。
【００２４】
そこで次のような、レンズの焦点距離を調整する工程を有する本発明に係るレンズ駆動装置の製造方法を採用した。以下、図面を参照しながらこの本発明に係るレンズ駆動装置の製造方法の実施の形態について説明する。この実施の形態は、携帯電話のような携帯機器のカメラ部分として搭載するのに適した構成となっているが、ＰＤＡ（Personal Degital Assistance)等他の携帯機器に搭載するようにしてもよい。
【００２５】
図１は、本発明の実施の形態に係るレンズ駆動装置の製造方法で製造されるレンズ駆動装置１の断面図である。このレンズ駆動装置１は、レンズ１４を保持するレンズホルダ１０と、レンズホルダ１０をレンズ１４の光軸１１の方向に沿って直動させる駆動手段と、レンズホルダ１０および駆動手段を収納するケース体２４から主に構成されている。レンズホルダ１０の内部にレンズ１４が備えられている。レンズ１４は、カメラの撮影レンズで、複数枚のレンズが組み合わせられることによって構成されている。図１の上側が被写体側レンズ１４ａで、下側がカメラボディ側レンズ１４ｂである。なお、このレンズ駆動装置１では、レンズ１４とレンズ１４を保持するレンズホルダ１０が別の部材から構成されているが、両者が同一部材で一体に構成されていても良い。
【００２６】
レンズホルダ１０の外周は、前側が大径に、後側が小径に形成されてその境界に段部が形成されている。後側の小径部には、リング状に形成された駆動マグネット１６が嵌められ、駆動マグネット１６は上述した段部に当接された状態でレンズホルダ１０に一体に固着されている。
【００２７】
レンズホルダ１０の前端部、すなわち被写体側の端部には、被写体からの反射光をレンズ１４に取り込む円形の入射窓１８が形成されている。入射窓１８の前方には、レンズ保持用の開閉自在のバリヤが設けられるが、図示は省略されている。
【００２８】
レンズホルダ１０は、ケース体２４内に収納されている。ケース体２４は、それぞれ円筒状の後側の第１ケース分割体２６と前側の第２ケース分割体４２からなる。第１、第２ケース分割体２６，４２は、図１に示すように、互いの円筒状の張出部２６ａ，４２ａが係合するように接合されている。この本発明の実施の形態ではケース体２４を２つに分割してあるが、３つ以上に分割しても良い。また、張出部２６ａ，４２ａが互いに光軸１１の方向に直動する案内機構の役割を果たしているが、張出部２６ａ，４２ａの他に第１、第２ケース分割体２６，４２には、互いに光軸１１の方向に直動するような案内機構を持たせても良い。この点については後述する。
【００２９】
レンズ１４が光軸１１の方向に移動できるように、第１ケース分割体２６の後端部内周にレンズホルダ１０の後端部外周が嵌められている。後側、すなわちカメラボディ側へのレンズホルダ１０の移動限界は、レンズホルダ１０が、第１ケース分割体２６の後端に内向きに形成された突出縁２７に当接する位置である。図１は、レンズホルダ１０が最も後側へ移動した状態を示している。
【００３０】
レンズホルダ１０と一体動作する駆動マグネット１６は、第１ケース分割体２６の後端部内周の前側であってこの後端部内周よりもその内径が大径に形成された第１ケース分割体２６の内周にわずかな隙間をもって対向するように設置されている。駆動マグネット１６は、リング状となっており、図２に示すように中央の孔を囲む部分がＮ極に着磁され、全体の外周部分がＳ極にそれぞれ単極着磁されている。なお、この着磁関係は、ＮＳが逆となるようにしても良い。また、駆動マグネット１６は、第１ケース分割体２６に対し光軸１１の方向に相対移動可能に納められている。
【００３１】
第１ケース分割体２６の内周には、駆動マグネット１６よりも後側に、その駆動マグネット１６に対向するようにリング状に巻かれた第１駆動コイル２８が配置され、この第１駆動コイル２８に対して駆動マグネット１６を挟むようにして第２駆動コイル３０が配置されている。第１、第２駆動コイル２８，３０には、それぞれ給電線６１，６２（図４、図５参照）が接続されている。給電線６１，６２は、第１、第２ケース分割体２６，４２に形成された切り欠き６３，６４を通ってケース体２４の外部へ引き出されている。外部へ引き出された給電線６１，６２は図示されない電源に接続されている。
【００３２】
第１駆動コイル２８の後側には、リング状の第１磁性体３２が配置されている。この第１磁性体３２と第１駆動コイル２８は、共に第１ケース分割体２６内の凹部２９に挿入され固定されている。
【００３３】
第２ケース分割体４２内の凹部３１には、リング状に巻かれた第２駆動コイル３０と、さらにこの第２駆動コイル３０に重なるようにリング状の第２磁性体３４が挿入され固定されている。したがって、駆動マグネット１６を挟んで光軸１１の方向に並んだ第１駆動コイル２８と第２駆動コイル３０の光軸方向の外側にそれぞれ第１磁性体３２と第２磁性体３４が配置されている。
【００３４】
第１、第２磁性体３２，３４は、座金状の強磁性体、たとえば鋼板からなる。駆動マグネット１６から出た磁束は、第１駆動コイル２８や第１磁性体３２をその中心側から外周側に通過し駆動マグネット１６に戻る。また、駆動マグネット１６からの磁束は、第２磁性体３４や第２駆動コイル３０をその中心側から外周側に通り、駆動マグネット１６に至るようになっていて、これらの部材によって磁気回路が構成されている。したがって、駆動マグネット１６によって形成される磁界中に第１、第２駆動コイル２８，３０が位置している。
【００３５】
第１、第２駆動コイル２８，３０の対向面間距離は、駆動マグネット１６の光軸１１の方向の厚さよりも大きく、駆動マグネット１６と第１駆動コイル２８または第２駆動コイル３０との間には光軸１１の方向の間隙が生じていて、この間隙の範囲内で駆動マグネット１６が、したがって駆動マグネット１６と一体のレンズホルダ１０が光軸１１の方向に移動することができる。
【００３６】
図１に示す状態では、駆動マグネット１６がレンズホルダ１０と共に後側に移動し、駆動コイル２８，３０に通電されなくても、駆動マグネット１６と第１磁性体３２との間に生じる磁気吸引力によって通常撮影位置に保持されている。このとき、図１に示すように、第１駆動コイル２８と駆動マグネット１６との間にわずかな隙間が生じている。これは第１駆動コイル２８と駆動マグネット１６とが衝突すると、いずれか一方または両者が損傷してしまうためであり、その衝突を防止しているのである。
【００３７】
図１に示す状態において、図示されない所定のマクロ切り換えスイッチが操作されると、第１、第２駆動コイル２８，３０の少なくとも一方に所定の向きに通電され、この電流の向きと駆動マグネット１６による磁界の向きとによって、フレミングの左手の法則により駆動マグネット１６を前方に押し出す向きの電磁力が働き、駆動マグネット１６と共にレンズホルダ１０が前方に進出する。この進出量は、駆動マグネット１６と第１、第２駆動コイル２８，３０との間に生じる上述した間隙の範囲内である。レンズホルダ１０と共にレンズ１４が前方に進出してマクロ撮影位置となる。なお、フレミングの左手の法則は、磁界中に線電流が流れているときに、その線電流を流している物体に働く力の関係を示すものであるが、この実施の形態では、第１、第２駆動コイル２８，３０が共に固定されているため反作用として駆動マグネット１６に力が働くこととなる。
【００３８】
レンズホルダ１０が前方に進出すると、第２ケース分割体４２の突起部３６に衝突することで、その前方進出が阻止される。このときがマクロ撮影位置である。突起部３６は、精度向上の理由から円周形状よりも３点だけ突出している形状の方が好ましい。マクロ撮影位置におけるレンズ１４は、第１、第２駆動コイル２８，３０に通電されなくても、駆動マグネット１６と第２磁性体３４との間に生じる磁気吸引力によって保持される。このときも、第２駆動コイル３０と駆動マグネット１６との間にはわずかな隙間を発生させている。これも第２駆動コイル３０と駆動マグネット１６とが衝突し、それらが損傷することを防止するためである。
【００３９】
前方への移動の際に生ずる電磁力は、第１駆動コイル２８への通電では駆動マグネット１６を前方側に移動させる向きに発生させ、第２駆動コイル３０への通電でも駆動マグネット１６を前方側に移動させる向きに発生させる。第１、第２駆動コイル２８，３０の両方に同時に通電してもよいし、いずれか一方に通電しても良い。
【００４０】
マクロ撮影位置から通常撮影位置に切り換えるには、切り換えスイッチを通常撮影位置に切り換える。この切り換えによって、第１、第２駆動コイル２８，３０の少なくとも一方に逆向きに通電され、この電流の向きと駆動マグネット１６による磁界の向きとによって、フレミングの左手の法則により駆動マグネット１６を後方に引き戻す向きの電磁力が働き、駆動マグネット１６と共にレンズホルダ１０が後退して、図１に示す通常撮影位置となる。本発明の実施の形態では、駆動手段として駆動コイル２８，３０と駆動マグネット１６を有する電磁機構を用いたが、この電磁機構以外にも、たとえばステッピングモータ等を用いることができる。
【００４１】
レンズ駆動装置１の光軸１１に沿った後側には、フィルタ４３、撮像素子４４および回路基板４５等を収納する撮像素子ケース４７が配置されている。フィルタ４３は、撮像素子４４の検出波長に対応させて所定の波長の光をカットするためのものである。撮像素子４４はＣＭＯＳ(Complementary Metal Oxide Semiconductor)で構成されており、その検知信号を回路基板４５へ送る。検知信号となる画像信号は、回路基板４５を介して図示されないマイクロコンピュータ等で構成されている制御部へ送られる。なお、撮像素子４４としては、ＣＭＯＳ以外にＣＣＤやＶＭＩＳ等を採用することができる。
【００４２】
図３は、図１のレンズ駆動装置１のケース体部の外観図で、撮像素子ケース４７に組み込まれる前の図である。なお、ケース体部とは、撮像素子ケース４７を除く部分、すなわちケース体２４と、ケース体２４に組み込まれた部材のことをいう。第１、第２ケース分割体２６，４２とは、互いに光軸方向に直動できる。すなわち、第１ケース分割体２６の光軸１１の方向に飛び出した張出部２６ａと、第２ケース分割体４２の光軸１１の方向に飛び出した張出部４２ａによって光軸１１の方向に第２ケース分割体４２が案内される。
【００４３】
次に、このレンズ駆動装置１の製造方法について、図５および図６を参照しながら説明する。なおこの説明では、主に第１ケース分割体２６、第２ケース分割体４２および撮像素子ケース４７の位置決めの方法について行う。
【００４４】
まず、第１ケース分割体２６のリング状に形成された凹部２９に第１磁性体３２と第１駆動コイル２８を順次挿入し固定する。一方、同様に、第２ケース分割体４２のリング状に形成された凹部３１に第２磁性体３４と第２駆動コイル３０を順次挿入し固定する。そして、周囲に駆動マグネット１６を固定したレンズホルダ１０を第１ケース分割体２６に入れ、第１ケース分割体２６の張出部２６ａと第２ケース分割体４２の張出部４２ａを係合して第１ケース分割体２６と第２ケース分割体４２とを仮固定する。その後、仮固定された第１、第２ケース分割体２６，４２を撮像素子ケース４７の張出部４７ａに係合して、第１ケース分割体２６と撮像素子ケース４７とを仮固定する（図６（ａ））。
【００４５】
そして、レンズホルダ１０を通常撮影位置に配置した状態、すなわち、レンズホルダ１０を第１ケース分割体２６に設けられた移動限界となる突出縁２７に当接させた状態で、第１ケース分割体２６、すなわちケース体部を光軸１１の方向に直動させてレンズ１４と撮像素子４４との距離を変更する。この距離の変更によってレンズ１４の焦点距離が調整される。第１ケース分割体２６の代わりに撮像素子ケース４７を光軸１１の方向に直動させてもよい。レンズ１４の焦点距離の調整は画像を見ながら行い、最適な画像が得られる第１ケース分割体２６の位置が決まったら第１ケース分割体２６と撮像素子ケース４７とを接着剤５１で固定する（図６（ｂ））。
【００４６】
その後、レンズホルダ１０をマクロ撮影位置側に配置した状態、すなわち、レンズホルダ１０を第２ケース分割体４２に設けられた移動限界となる突起部３６に当接させた状態で、第２ケース分割体４２を光軸１１の方向に直動させてレンズ１４と撮像素子４４との距離を変更する。この距離の変更によってレンズ１４の焦点距離が調整される。第２ケース分割体４２の代わりに第１ケース分割体２６または撮像素子ケース４７を光軸１１の方向に直動させてもよい。レンズ１４の焦点距離の調整は画像を見ながら行い、最適な画像が得られる第２ケース分割体４２の位置が決まったら第２ケース分割体４２と第１ケース分割体２６とを接着剤５３で固定する（図６（ｃ））。
【００４７】
この実施の形態では、第１ケース分割体２６の開放端の一部が切り欠かれ、切り欠き６３が形成されている。この切り欠き６３からは、第１ケース分割体２６に挿入された第１駆動コイル２８のコイル端末となる給電線６１，６１が外部に引き出される。一方、第２ケース分割体４２の開放端の一部も切り欠かれ、切り欠き６４が形成されている。この切り欠き６４からは、第２ケース分割体４２に挿入された第２駆動コイル３０のコイル端末となる給電線６２，６２が外部に引き出される。
【００４８】
撮像素子ケース４７に組み込まれて固定された状態のケース体部を図４に示す。図４に示すように、切り欠き６３，６４はわずかにずれるような位置となるように配置される。このように、切り欠き６３，６４をずらすことによって外部からの塵芥の侵入を防止している。切り欠き６３，６４の位置は、全く同一位置として連通するようにしても良い。また、切り欠き６３，６４とせずに、第１、第２ケース分割体２６，４２のそれぞれに貫通孔を設けて、その貫通孔から給電線６１，６２を引き出すようにしても良い。
【００４９】
この実施の形態では、レンズホルダ１０の後側の外周と接する第１ケース分割体２６の案内部６５の光軸１１の方向の長さが、レンズホルダ１０の移動範囲をカバーしており、また、レンズホルダ１０の前側の外周と接する第２ケース分割体４２の案内部６６がレンズホルダ１０の方向性を維持している。
【００５０】
また、案内部６５によって凹部２９が形成され、案内部６６によって凹部３１が形成されている。この両方の凹部２９，３１の存在によって、第１、第２駆動コイル２８，３２および第１、第２磁性体３２，３４がレンズホルダ１０と間隔を確保した状態で保持されるため、それらの部材がレンズホルダ１０に当たることはない。この構造によって、レンズホルダ１０の方向性維持の点で一層好ましいものとなる。
【００５１】
次に、本発明の実施の形態に係るレンズ駆動装置の製造方法で製造される第２のレンズ駆動装置７１について図７を参照しながら説明する。このレンズ駆動装置７１は、レンズ駆動装置１と基本的に同じ構造とされ、同じ製造方法で組み立てられる。異なる点は、ケース体部を構成する第１ケース分割体２６と第２ケース分割体４２の構成のみである。ここでは異なる点のみ説明することとする。
【００５２】
図７は、レンズ駆動装置７１のケース体部７５の外観図で撮像素子ケース４７に組み込まれる前の図である。第１ケース分割体２６には光軸１１の方向に飛び出した凸部２６ｂが、第２ケース分割体４２には光軸１１の方向に陥没した凹部４２ｂが形成されている。これに代えて、第１ケース分割体２６に凹部を、第２ケース分割体４２に凸部を設けても良い。凸部２６ｂと凹部４２ｂとを係合させながら第１ケース分割体２６と第２ケース分割体４２の少なくとも一方を光軸１１の方向に動かせば、確実に直動させることができる。
【００５３】
次に、本発明の実施の形態に係るレンズ駆動装置の製造方法で製造される第３のレンズ駆動装置８１について図８を参照しながら説明する。このレンズ駆動装置８１は、レンズ駆動装置１と基本的に同じ構造とされ、同じ製造方法で組み立てられる。異なる点は、ケース体部を構成する第１ケース分割体２６と第２ケース分割体４２の構成のみである。ここでは異なる点のみ説明することとする。
【００５４】
図８は、レンズ駆動装置８１の断面図である。第１磁性体３２、第１駆動コイル２８、第２駆動コイル３０、第２磁性体３４が第１ケース分割体２６に組み込まれている。第２ケース分割体４２は、第１ケース分割体２６の内壁部と第２ケース分割体４２の外壁部が係合するように、第１ケース分割体２６にはめ込まれている。これら内壁部と外壁部とを係合させながら第１ケース分割体２６と第２ケース分割体４２の少なくとも一方を光軸１１の方向に動かせば、確実に直動させることができる。
【００５５】
以上の実施の形態では、第１、第２ケース分割体２６,４２が光軸１１の方向に横ずれせずに直動するため、精度良くレンズ１４の撮影位置を決定することができる。また、第１、第２ケース分割体２６,４２は、光軸１１の方向の直動のみであるから、簡易な装置で画像を見ながらレンズ１４の焦点距離を調整することができる。さらに、第１、第２ケース分割体２６,４２は、ねじ込みのように斜め方向への運動がないので、撮影位置におけるレンズ１４が斜めにならず良好な画像が維持できる。
【００５６】
また、ケース体２４の中の第１、第２駆動コイル２８,３０からの給電線６１,６１,６２,６２の引き出し位置が一定になるので、簡易な治具によるレンズ焦点距離の調整が可能となる。そして、第１、第２ケース分割体２６,４２の分割面付近にそれぞれ給電線６１,６１,６２,６２の切り欠き形状の引き出し部を連通して設けることで、第１、第２ケース分割体２６,４２の光軸１１の方向への直動のガイドとすることができる。
【００５７】
さらに、第１ケース分割体２６と撮像素子ケース４７や第２ケース分割体４２と第１ケース分割体２６の接合部分の空間をそのまま接着剤充填部として利用でき、簡易な作業で第１ケース分割体２６と撮像素子ケース４７や第２ケース分割体４２と第１ケース分割体２６を確実に固定できる。
【００５８】
以上に説明した各実施の形態は、本発明の好適な例であるが、本発明の要旨を逸脱しない範囲で種々変更実施可能である。たとえば、本発明は、通常撮影とマクロ撮影との切り換えに限らず、レンズ１４の位置を２つまたは３つ以上の位置に切り換える必要があるものすべてに適用可能である。具体的には、不使用時にレンズ鏡筒をカメラまたは携帯機器などの本体内に収納する沈胴式カメラの沈胴機構として、あるいは、焦点距離を短焦点位置と長焦点位置に切り換えることができるカメラの焦点距離切り換え機構に適用することもできる。
【００５９】
さらに、マクロ撮影位置と通常撮影位置とを切り替えるレンズ駆動装置に限らず、２つのレンズを駆動モータ等で独立に駆動するズーム撮影機能を有するレンズ駆動装置にも適用することもできる。また、ケース体２４の外壁に突起を設けて、光軸１１の方向に直動させる際の案内としても良い。
【００６０】
また、上述の実施の形態では、接着剤５１,５３で固定しているが、スポット溶接等による溶着としても良い。また、第１、第２ケース分割体２６,４２に第１、第２駆動コイル２８,３０や第１、第２磁性体３２,３４を挿入するのに代えて、これらをインサート成型しても良い。さらに、第１、第２ケース分割体２６,４２を光軸１１の方向に相対的に直動させるために、第１、第２ケース分割体２６,４２の外周にそれぞれスライドチャックのための溝を設け、その溝にチャック用の治具をはめ込むようにしても良い。
【００６１】
また、上述の実施の形態では、レンズホルダ１０に駆動マグネット１６を設けたムービングマグネット構造としたが、駆動マグネット１６の代わりに磁性体やコイルとしても良い。コイルとした場合には、第１、第２駆動コイル２８,３０に代えてマグネットとする。また、駆動マグネット１６は光軸１１と垂直方向にＮＳ着磁されたものとしたが、光軸１１の方向にＮＳ着磁されたものとしても良い。また、光軸１１の方向にガイドする部材は図７のように１ヶ所としても良いが、２ヶ所以上としても良い。
【図面の簡単な説明】
【００６２】
【図１】本発明の実施の形態に係るレンズ駆動装置の製造方法で製造されたレンズ駆動装置を示す断面図である。
【図２】本発明の実施の形態に係るレンズ駆動装置の製造方法で製造されたレンズ駆動装置に使用される駆動マグネットを示す平面図である。
【図３】本発明の実施の形態に係るレンズ駆動装置の製造方法で製造されたレンズ駆動装置のケース体部の外観図である。
【図４】本発明の実施の形態に係るレンズ駆動装置の製造方法で製造されたレンズ駆動装置のケース体部の外観図である。
【図５】本発明の実施の形態に係るレンズ駆動装置の製造方法で製造されたレンズ駆動装置の組み立て分解断面図である。
【図６】本発明の実施の形態に係るレンズ駆動装置の製造方法を示す断面図である。
【図７】本発明の実施の形態に係るレンズ駆動装置の製造方法で製造された他のレンズ駆動装置のケース体部を示す外観図である。
【図８】本発明の実施の形態に係るレンズ駆動装置の製造方法で製造された他のレンズ駆動装置を示す断面図である。
【図９】本出願人による先の出願に記載されたレンズ駆動装置を示す断面図である。
【符号の説明】
【００６３】
１  レンズ駆動装置
１０  レンズホルダ
１４  レンズ
１４ａ  被写体側レンズ
１４ｂ  カメラボディ側レンズ
１４ｃ  間隔保持部材
１４ｄ  位置固定部材
１６  駆動マグネット
１８  入射窓
２４  ケース体
２６  第１ケース分割体
２６ａ  第１ケース分割体の張出部
２６ｂ  第１ケース分割体の凸部
２７  突出縁（レンズホルダ１０の後側の移動限界）
２８  第１駆動コイル
３０  第２駆動コイル
３２  第１磁性体
３４  第２磁性体
３６  突起部（レンズホルダ１０の前側の移動限界）
４２  第２ケース分割体
４２ａ  第２ケース分割体の張出部
４２ｂ  第２ケース分割体の凹部
４３  フィルタ
４４  撮像素子
４５  回路基板
４７  撮像素子ケース
６１,６２  給電線
６３,６４  切り欠き
６５,６６  案内部
【図１】
2005107084.tif 000003
【図２】
2005107084.tif 000004
【図３】
2005107084.tif 000005
【図４】
2005107084.tif 000006
【図５】
2005107084.tif 000007
【図６】
2005107084.tif 000008
【図７】
2005107084.tif 000009
【図８】
2005107084.tif 000010
【図９】
2005107084.tif 000011